(57)【特許請求の範囲】
【請求項１】
根太材上に予め決められた間隔で連続的に載置される床材を互いに連結するとともに、根太材に固定する解体および組立自在な床材連結金具において、
前記根太材の内側側部に設けられたスライド溝にスライド自在に挿入されるスライド基部と、
前記スライド基部上に垂直に設けられるとともに、係合凹溝と前記係合凹溝に連設された肉厚部とが成形されている垂直部と、
前記垂直部の上部に水平方向に連設され、前記床材の側部に成形された側部連結溝に嵌合する連結部を備えているとともに、上面に上部習い溝が床材方向に沿って成形されている上部結合部と、
から少なくとも構成されていることを特徴とする床材連結金具。
【請求項２】
根太材上に予め決められた間隔で連続的に載置される床材を互いに連結するとともに、根太材に固定する解体および組立自在な床材連結金具において、
前記根太材の内側側部に設けられたスライド溝にスライド自在に挿入されるスライド基部と、
前記スライド基部上に垂直に設けられた嵌合部とから少なくとも構成される下部連結金具と、
前記嵌合部と嵌合する垂下部を有するとともに、前記床材の側部に成形された側部連結溝に嵌合する連結部を備えた上部連結金具と、
から少なくとも構成され、
前記下部連結金具は、側部に凹部または凸部を設け、前記上部連結金具に設けられた凸部または凹部により互いにスライド方向に移動して着脱ができ、
前記上部連結金具は、上部において、左右対照に分割できるとともに、上部および下部に凹凸部を設け、下部連結金具の凹部および凸部にそれぞれ嵌合できるとともに、下部連結金具の長さより長く、上部の連結部が一部切り欠かれていることを特徴とする床材連結金具。
【請求項３】
根太材に設けられたスライド溝にスライド自在に挿入されるスライド基部と、前記スライド基部上に垂直に設けられるとともに、係合凹溝と前記係合凹溝に連設された肉厚部とが成形されている垂直部と、前記垂直部の上部に設けられ、床材の側部連結溝に嵌合する連結部を備えた上部結合部とから少なくとも構成されている床材連結金具を解体する際に、
前記連結部をカッターにより切断した後、床材を取り外し、
前記床材を組み立てる際に、前記連結部の下部に設けられた抱持部と、前記抱持部の端部に抱持爪を備えた補修用連結金具を用い、前記肉厚部を抱持するとともに、抱持爪により前記係合凹溝に係合させることにより、床材を組み立てることを特徴とする床材連結方法。
【請求項４】
前記上部結合部は、上部に設けられている上部習い溝に沿ってカッターにより切断されることを特徴とする請求項３に記載された床材連結方法。
【請求項５】
前記上部連結金具は、下部連結金具の長さより長く、上部の連結部が一部切り欠かれており、前記床材の連結溝の下部に前記上部の連結部を逃げる切り込み部を設け、前記上部連結金具を前記切り込み部の位置までスライドさせることにより、前記床材を解体し、あるいは、前記と反対にスライドさせることにより連結することを特徴とする請求項４に記載された床材連結方法。
【請求項６】
前記根太材に設けられたスライド溝に上部から回動しながら嵌合できる回動可能な切り落とし部が設けられている前記スライド基部は、根太材の上部から回動することにより任意の位置に取り付けられることを特徴とする請求項３から請求項５のいずれか１項に記載された床材連結方法。
【請求項７】
側部連結溝の下部に前記上部の連結部を逃げる切り込み部が設けられた床材は、予め決められた位置にのみ設置されることを特徴とする請求項３から請求項６のいずれか１項に記載された床材連結方法。
【発明の詳細な説明】
【技術分野】
【０００１】
本発明は、根太の上に床材を敷設する際に、床材と床材との連結、および前記根太に対する床材の固定を行うことができる床材連結金具および床材連結方法に関するものである。特に、本発明は、床材の前記取り付け、取り外しが容易な床材連結金具および床材連結方法に関するものである。前記床材連結金具は、アルミニウム合金、合成樹脂材等の成形が可能な部材からなる。さらに、根太は、鋼製床下地材、コンクリートスラブ等の上にクッション、バネ、レベル調整ボルト等を介して敷設される。
【背景技術】
【０００２】
近年、人に優しい天然木を使用した屋外用歩行デッキ、樹木の周囲に敷設された屋外用デッキ、ベランダ、屋上等人と環境を配慮したものが多くなってきた。また、前記床材は、木材に限らず、アルミニウム合金の形材、合成樹脂材の形材、あるいは合成樹脂材と木材との粉末を成形したもの等が使用される。
【０００３】
たとえば、特開２００２−１０６１５５号公報における木製床材の敷設装置は、コンクリートスラブ上にボルトにより高さ調整を行った根太材が敷設される。前記根太材の上には、ほぼＨ型をした連結金具がスライド自在に取り付けられる。また、前記連結金具は、床材の側部溝に嵌合されることにより床材どうしが互いに取り付けられる。
【特許文献１】特開２００２−１０６１５５号公報
【発明の開示】
【発明が解決しようとする課題】
【０００４】
従来の床材連結金具は、床材どうしを連結するだけであり、取り外すことを考慮したものではないため、修復工事を容易に行うことができないか、あるいは大がかりな作業が必要であり、高価な工事費となった。前記床材連結金具は、根太材に対して直角方向に引かないと床材を外すことができない。しかし、一般的に、前記方向にずらすための場所がない場合が多い。
【０００５】
以上のような課題を解決するために、本発明は、床材の取り付けおよび取り外しが容易な床材連結金具および床材連結方法を提供することを目的とする。
【課題を解決するための手段】
【０００６】
（第１発明）
第１発明の床材連結金具は、根太材上に予め決められた間隔で連続的に載置される床材を互いに連結するとともに、根太材に固定する解体および組立自在なものであり、前記根太材の内側側部に設けられたスライド溝にスライド自在に挿入されるスライド基部と、前記スライド基部上に垂直に設けられるとともに、係合凹溝と前記係合凹溝に連設された肉厚部とが成形されている垂直部と、前記垂直部の上部に水平方向に連設され、前記床材の側部に成形された側部連結溝に嵌合する連結部を備えているとともに、上面に上部習い溝が床材方向に沿って成形されている上部結合部とから少なくとも構成されていることを特徴とする。
【０００７】
（第２発明）
第２発明の床材連結金具は、根太材上に予め決められた間隔で連続的に載置される床材を互いに連結するとともに、根太材に固定する解体および組立自在なものであり、前記根太材の内側側部に設けられたスライド溝にスライド自在に挿入されるスライド基部と、前記スライド基部上に垂直に設けられた嵌合部とから少なくとも構成される下部連結金具と、前記嵌合部と嵌合する垂下部を有するとともに、前記床材の側部に成形された側部連結溝に嵌合する連結部を備えた上部連結金具とから少なくとも構成され、
前記下部連結金具は、側部に凹部または凸部を設け、前記上部連結金具に設けられた凸部または凹部により互いにスライド方向に移動して着脱ができ、
前記上部連結金具は、上部において、左右対照に分割できるとともに、上部および下部に凹凸部を設け、下部連結金具の凹部および凸部にそれぞれ嵌合できるとともに、下部連結金具の長さより長く、上部の連結部が一部切り欠かれていることを特徴とする。
【００１４】
（第３発明）
第３発明の床材連結方法は、根太材に設けられたスライド溝にスライド自在に挿入されるスライド基部と、前記スライド基部上に垂直に設けられるとともに、係合凹溝と前記係合凹溝に連設された肉厚部とが成形されている垂直部と、前記垂直部の上部に設けられ、床材の側部連結溝に嵌合する連結部を備えた上部結合部とから少なくとも構成されている床材連結金具を解体する際に、前記連結部をカッターにより切断した後、床材を取り外し、前記床材を組み立てる際に、前記連結部の下部に設けられた抱持部と、前記抱持部の端部に抱持爪を備えた補修用連結金具を用い、前記肉厚部を抱持するとともに、抱持爪により前記係合凹溝に係合させることにより、床材を組み立てることを特徴とする。
【００１５】
（第４発明）
第４発明の床材連結方法において、第３発明の上部結合部は、上部に設けられている上部習い溝に沿ってカッターにより切断されることを特徴とする。
【００１７】
（第５発明）
第５発明の床材連結方法において、第４発明の上部連結金具は、下部連結金具の長さより長く、上部の連結部が一部切り欠かれており、前記床材の連結溝の下部に前記上部の連結部を逃げる切り込み部を設け、前記上部連結金具を前記切り込み部の位置までスライドさせることにより、前記床材を解体し、あるいは、前記と反対にスライドさせることにより連結することを特徴とする。
【００１８】
（第６発明）
第６発明の床材連結方法において、第３発明から第５発明の根太材に設けられたスライド溝に上部から回動しながら嵌合できる回動可能な切り落とし部が設けられている前記スライド基部は、根太材の上部から回動することにより任意の位置に取り付けられることを特徴とする。
【００１９】
（第７発明）
第７発明の床材連結方法において、第３発明から第６発明の側部連結溝の下部に前記上部の連結部を逃げる切り込み部が設けられた床材は、予め決められた位置にのみ設置されることを特徴とする。
【発明の効果】
【００２０】
本発明によれば、床材と床材との間において、床材連結金具における連結部を切削することにより、床材の取り外しが容易になり、前記連結部の切削後、前記床材連結金具の係合部に補修用の上部連結金具を取り付けることにより床材が容易に再度取り付けられる。また、本発明の床材連結金具は、押し出し成形による形材からなるため、安価で取り付けあるいは取り外しが容易にできる。
【００２１】
本発明によれば、予め上部連結金具と下部連結金具とをスライドできるように嵌合させて一つの床材連結金具とすることで、床材と床材の隙間を利用して、上部連結金具を工具の使用によりスライドさせて、容易に床材を取り外すことができる。
【００２２】
本発明によれば、上部連結金具において、連結部に切り欠きを設けたり、床材の側部連結溝に切欠きを設けることで、前記上部連結金具をスライドさせ、床材を容易に外すことができる。
【００２３】
本発明によれば、スライド基部に連結金具が回動できる切り落とし部を設けることで、根太の上部から挿入して、回動させることで、容易にかつ迅速に所定の位置に床材連結金具を取り付けることができる。
【発明を実施するための最良の形態】
【００２４】
本発明の床材連結金具は、根太材上に載置される床材を互いに連結するとともに、根太材に固定することができるだけでなく、前記床材の解体および組み立てが自在にできる。前記床材連結金具は、スライド基部と、前記スライド基部に連設された垂直部と、前記垂直部に連結された上部結合部とから構成されている。前記スライド基部は、前記根太材に設けられたスライド溝にスライド自在に挿入され、前記根太材の所定の位置にスライドされ、取り付けられる。
【００２５】
前記垂直部は、前記スライド基部上に垂直に設けられるとともに、係合凹溝と前記係合凹溝に連設された肉厚部とが少なくとも成形されている。上部結合部は、前記垂直部の上部に設けられ、床材の両側部に設けられている側部連結溝に嵌合する連結部を備えている。前記連結部は、床材と床材の隙間からカッターを挿入することにより切削できるため、解体が容易にできる。前記床材は、後述する上部連結金具を利用することにより、容易に組み立てることができる。
【００２６】
本発明の床材連結金具は、上部結合部の上部に上部習い溝が成形されている。前記上部習い溝は、この部分にカッターを当てて切削を行う場合、前記上部結合部の上面で刃先が踊らないようにするためのものである。
【００２７】
本発明の床材連結金具は、上部および下部の二つの部材からなり、根太材上に載置される床材を互いに連結するとともに、根太材に固定することができるだけでなく、前記床材の解体および組み立てが自在にできる。下部連結金具は、前記根太材に設けられたスライド溝にスライド自在に挿入されるスライド基部と、前記スライド基部上に垂直に設けられた嵌合部とから少なくとも構成される。上部連結金具は、前記下部連結金具の嵌合部と嵌合する垂下部を有するとともに、前記床材の側部連結溝に嵌合する連結部を少なくとも備えている。第３発明の床材連結金具は、下部連結金具と上部連結金具とが嵌合部でスライドできるように嵌合しているため、床材と床材の隙間に工具を挿入して上部連結金具をスライドさせながら前記嵌合を外し、または嵌合させることができる。
【００２８】
本発明の床材連結金具は、下部連結金具および上部連結金具の連結が凹部または凸部、あるいは、凸部または凹部を互いに嵌合させ、スライド方向に移動させることにより、互いに着脱できる。前記床材連結金具は、高さ方向の長さ、あるいは凹凸の形状を使用態様に合わせて作製することができる。たとえば、前記凸部は、下部連結金具における肉厚部であり、前記凹部は、上部連結金具における抱持部および抱持爪とすることもできる。さらに、前記上部連結金具は、補修用金具とすることもできる。
【００２９】
本発明の床材連結金具は、上部連結金具を左右対照に分割し、二つの部材から構成する。そして、前記上部連結金具および下部連結金具は、複数の凹部および凸部を設けることにより、三つの部材を前記凹凸部にそれぞれ嵌合させることにより組み立てられる。
【００３０】
本発明の床材連結金具は、上部連結金具が下部連結金具の長さより長く、上部の連結部が切り欠かれている。前記切り欠かれた部分は、床材の解体および組み立てに都合がよい形状になっている。
【００３１】
本発明の床材連結金具において、スライド基部は、たとえば、上部連結部より狭い幅からなるとともに、前記根太材に設けられたスライド溝に上部から挿入した後、回動しながら嵌合できる回動可能な切り落とし部が設けられている。すなわち、床材連結金具は、根太の端部から挿入して、所定位置までスライドすることなく、取付位置の上部において、回動させながら所定の位置に取り付けることができる。
【００３２】
本発明の床材連結金具において、連結金具は、押し出し成形ができる部材、たとえば、アルミニウム合金、合成樹脂部材、合成樹脂と木材の混合体から構成されている。
【００３３】
本発明の床材連結方法は、根太材に設けられたスライド溝にスライド自在に挿入されるスライド基部と、前記スライド基部上に垂直に設けられるとともに、係合凹溝と前記係合凹溝に連設された肉厚部とが成形されている垂直部と、前記垂直部の上部に設けられ、床材の側部連結溝に嵌合する連結部を備えた上部結合部とから少なくとも構成されている床材連結金具を用いる。
【００３４】
前記床材連結金具を解体する際に、工事を行う者は、床材と床材の隙間にカッターを挿入し、上部連結金具における連結金具を切断した後、床材を取り外す。前記床材を組み立てる際に、工事を行う者は、前記上部結合部の下部に設けられた抱持部と、前記抱持部の端部に抱持爪を備えた補修用連結金具を用い、下部連結金具の肉厚部を抱持するとともに、抱持爪により前記係合凹溝に係合させることにより、床材を組み立てる。
【００３５】
本発明の床材連結方法のカッターは、床材と床材の隙間から前記上部結合部の上部に設けられている上部習い溝に挿入し、前記上部習い溝に沿って、刃先が踊らないようにして連結部を切断する。
【００３６】
本発明の床材連結方法は、根太材に設けられたスライド溝にスライド自在に挿入されるスライド基部と前記スライド基部に垂直に設けられた嵌合部とから少なくとも構成される下部連結金具と、前記嵌合部と嵌合する垂下部を有するとともに、床材の側部連結溝に嵌合する連結部を備えた上部連結金具との二つの金具を使用する。前記床材連結金具を解体する際に、工事を行う者は、前記連結金具により互いに連結されている床材と床材の隙間から、ドライバーを前記上部連結金具の端部に当接し、ハンマーのような工具により、前記ドライバーを叩くことにより、前記上部連結金具をスライド方向に移動させる。
【００３７】
本発明の床材連結方法において、上部連結金具は、下部連結金具の長さより長く、かつ、上部の連結部が一部切り欠かれている。前記床材の連結溝の下部には、前記上部の連結部を逃げる切り込み部が設けられている。前記上部連結金具の構造は、前記上部連結金具を前記切り込み部の位置までスライドさせることにより、前記床材を解体し、あるいは、前記と反対にスライドさせることにより連結することが可能になる。
【００３８】
本発明の床材連結方法において、スライド基部は、たとえば、上部連結部より狭い幅からなるとともに、前記根太材に設けられたスライド溝に上部から回動しながら嵌合できる回動可能な切り落とし部が設けられている。したがって、前記床材連結金具は、根太材の端部からスライドさせて所望の位置に移動させることなく、根太材における取付位置の上部から挿入し、回動することにより所定の位置に取り付けることができる。
【００３９】
本発明の床材連結方法において、床材は、側部連結溝の下部に上部の連結部を逃げる切り込み部が設けられているため、予め決められた位置まで、スライドさせることにより、床材の解体または組み立てが容易にできる。
【実施例１】
【００４０】
図１は本発明の第１実施例で、根太材、床材、および床材連結金具の関係を説明するための概略図である。図１において、複数の床材１２は、床材連結金具１３を介して根太材１１上に取り付けられている。前記根太材１１は、たとえば、アルミニウム合金の引き抜き形材であり、上部にスライド溝１１１と、前記スライド溝１１１に連設された床材１２を載置する載置部１１２が成形されている。床材１２は、本実施例の場合、アルミニウム合金の形材からなり、上面１２１と、下面１２２と、側面１２３と、前記側面１２３に後述する床材連結金具１３を嵌合させる側部連結溝１２４、１２４′が設けられている。なお、前記根太材１１は、大引き鋼、クッション材、レベル調整ボルト、コンクリートスラブ等を任意に選択して、その上に敷設されている。
【００４１】
図２は本発明の第１実施例に使用する床材連結金具を説明するための概略図である。図２において、床材連結金具１３は、根太材１１のスライド溝１１１にスライドしながら移動できるスライド基部１３１と、前記スライド基部１３１の上部に垂直に連設されている垂直部１３２と、前記垂直部１３２の上部に連設されている上部連結部１３３とから構成されている。
【００４２】
前記垂直部１３２は、根太材１１の載置部１１２が係合する縦部片１３２１と、前記縦部片１３２１の両端部を切り欠いた切欠部１３２２と、前記縦部片１３２１に連設され左右方向に突出して、床材１２どうしの間隔を決めるスペーサとなるスペーサ片１３２３と、前記スペーサ片１３２３の上部に成形された後述する抱持爪が係合する係合凹溝１３２４と、前記係合凹溝１３２４に連設され、後述する抱持部が抱持する肉厚部１３２５とから構成されている。前記上部連結部１３３は、上部に設けられた上部習い溝１３３１と、前記上部の両端に設けられた前記床材１２の側部連結溝１２４、１２４′に嵌合するほぼ水平な連結部１３３２とから構成されている。
【００４３】
図３（イ）は本発明の第１実施例に使用する補修用連結金具であり、（ロ）は床材連結金具における連結部を切削した後の形状を説明するための概略図である。図３（イ）において、補修用連結金具３３は、上部に成形された上部習い溝３３１と、上部の両端部に成形されたほぼ水平な連結部３３２と、前記上部から下部にかけて連設され、前記肉厚部１３２５を抱持する抱持部３３３と、前記抱持部３３３の下端部に設けられ、前記係合凹溝１３２４に係合する抱持爪３３４とから構成されている。
【００４４】
図３（ロ）において、図示されていないカッターの刃は、床材１２と床材１２の隙間から挿入され、図２における上部習い溝１３３１により、安定して所定方向に切削ができ、図２に示された上部連結部１３３が無くなり、符号５３で示す形状のものとなる。
【００４５】
図４（イ）および（ロ）は本発明の第１実施例における床材連結金具を用いて根太材と床材とを連結した状態を説明するための図で、（イ）は（ロ）における（イ）から見た断面図、（ロ）は（イ）における（ロ）から見た断面図である。なお、根太材１１は、たとえば、コンクリートスラブのような基台４１上にクッション材４２を介して載置されている。前記床材連結金具１３のスライド基部１３１は、根太材１１のスライド溝１１１に入り、根太材１１と連結されている。前記床材連結金具１３の連結部１３３２は、床材１２の側部連結溝１２４に嵌合し、互いに側部で対向している床材１２を連結している。
【００４６】
図５（イ）は取り付けられている床材を取り外す方法を説明する図であり、（ロ）は床材を取り付ける方法を説明する図である。図５（イ）において、右側の床材連結金具１３は、床材１２と床材１２の隙間に挿入され、上部習い溝１３３１に沿って進むカッター５１によって連結部１３３２が切削される。図５（イ）における左側が切削された切削片５２が除去され、符号５３で示す床材連結金具となる。前記床材１２は、両端に設けられている床材連結金具における連結部１３３２を切削することで、容易に取り外すことができる。
【００４７】
図５（ロ）において、床材連結金具５３における抱持部３３３および抱持爪３３４は、図３（ロ）に示す床材連結金具の肉厚部１３２５および係合凹溝１３２４にそれぞれ抱持または係合し、図５（ロ）に示すように床材１２どうしを結合する。なお、前記床材連結金具５３と、切削された後の床材連結金具１３は、図示されていない床材１２の側部連結溝１２４の下部を切り落とすことにより、図５（ロ）で示す状態にすることができる。前記切り落とし部については、後述する。
【実施例２】
【００４８】
図６は本発明の第２実施例で、床材連結金具によって連結された木製または合成樹脂製床材の床材連結金具を外す場合を説明するための図である。図６において、根太材１１は、レベル調整ボルト１４によって高さが調整され、水平面となるように取り付けられる。水平になっている根太材１１の上には、後述する下部連結金具６１と、前記下部連結金具６１にスライド自在に嵌合している上部連結金具６２を介して床材１２が取り付けられている。第２実施例の床材連結金具は、下部連結金具６１と上部連結金具６２とがスライド自在に嵌合されているため、たとえば、ドライバー６５のような工具を床材１２と床材１２の隙間に挿入して、上部連結金具６２の側部に当て、ハンマー６６で前記ドライバー６５の少し上部を叩くことにより、前記上部連結金具６２がスライドして外れる。
【００４９】
図７（イ）および（ロ）は上部と下部で分解できる床材連結金具を説明するための図で、（イ）が嵌合した状態で、（ロ）が分解した図である。図７において、下部連結金具６１は、スライド基部６１１と、前記スライド基部６１１に垂直に設けられた上部結合片６１２と、前記上部結合片６１２の左右に設けられ図１に示す載置部１１２が入る切欠部６１３と、前記上部結合片６１２の上部に成形されているとともに、後述する部分に嵌合する嵌合凸部６１４とから構成されている。
【００５０】
上部連結金具６２は、床材の側部連結溝に嵌合するために左右に設けられた連結部６２１と、前記連結部６２１の下部に垂直方向に設けられた垂下部６２２と、前記垂下部６２２に前記嵌合凸部６１４に嵌合する嵌合凹部６２３とが成形されている。前記下部連結金具６１と前記上部連結金具６２とは、図７（イ）に示すように、嵌合凸部６１４と嵌合凹部６２３とによって、スライドできるように互いに嵌合している。
【００５１】
図８（イ）および（ロ）は下部連結金具および上部連結金具を使用して床材を取り付けた状態を示すもので、（イ）は（ロ）における（イ）断面図、（ロ）は、（イ）における（ロ）断面図である。図８（イ）および（ロ）において、根太材１１は、レベル調整ボルト１４により床材１２が水平面となるように調整されている。
【実施例３】
【００５２】
図９（イ）から（ニ）は本発明の第３実施例で、下部連結金具および上部連結金具の変形例を説明するための図である。図９（イ）から（ニ）は、下部連結金具９１、９３、９５、９７が凸部であり、上部連結金具９２、９４、９６、９８が凹部を備え、互いにスライドできるように嵌合している。前記下部連結金具９１、９３、９５、９７、および上部連結金具９２、９４、９６、９８は、凸部または凹部を設けた位置が高さ方向で異なっているとともに、凸部および凹部の形状が異なっている。
【実施例４】
【００５３】
図１０（イ）から（ニ）は本発明の第４実施例で、下部連結金具および上部連結金具の他の変形例を説明するための図である。図１０（イ）から（ニ）は、下部連結金具１０１、１０３、１０５、１０７が凹部であり、上部連結金具１０２、１０４、１０６、１０８が凸部を備え、互いにスライドできるように嵌合している。前記下部連結金具１０１、１０３、１０５、１０７、および上部連結金具１０２、１０４、１０６、１０８は、凸部または凹部を設けた位置が高さ方向で異なっているとともに、凸部および凹部の形状が異なっている。
【実施例５】
【００５４】
図１１（イ）および（ロ）は本発明の第５実施例で、上部連結金具が二つに分かれている例を説明するための図である。図１１（イ）において、下部連結金具１１０１には、凹部が成形されている。上部連結金具１１０２および１１０３には、下部に凸部が上部に凹部がそれぞれ成形されている。前記下部連結金具１１０１と、前記上部連結金具１１０２および１１０３は、互いに凸部または凹部にスライドできるように嵌合されることにより連結できる。
【００５５】
図１１（ロ）において、下部連結金具１１０４には、二つの凸部が成形されている。上部連結金具１１０５および１１０６には、下部に凸部が上部に凹部がそれぞれ成形されている。前記下部連結金具１１０４と、前記上部連結金具１１０５および１１０６は、互いに凸部または凹部にスライドできるように嵌合されることにより連結できる。
【実施例６】
【００５６】
図１２は本発明の第６実施例で、床材の一部で下部連結金具および上部連結金具からなる床材連結金具で連結されており、床材を外す場合の例を説明するための図である。図１２において、根太材１１、１１′の上には、床材１２、１２′、１２″が敷設されている。床材１２′と床材１２″とは、たとえば、スライドした後に分解できる床材連結金具１３′によって連結されている。前記床材連結金具１３′は、下部連結金具１２１１と前記下部連結金具１２１１より長さが長い上部連結金具１２１２がスライドするように連結されている。また、前記床材連結金具１３′は、上部連結部１２１４に切欠部１２１３が設けられている。
【００５７】
一方、床材１２′は、側部連結溝１２４、１２４′の下方が距離ｄ′だけ切り落とされた凹部１２５、１２５′が成形されている。また、前記床材連結金具１３′における切欠部１２１３が成形された後に残された上部連結部１２１４の長さｄは、前記凹部１２５の長さｄ′よりやや短めに成形されている。したがって、前記床材１２′を取り外す場合、図６に示したように、上部連結金具１２１２は、たとえば、ドライバーとハンマーのようなものにより、前記床材１２′の凹部１２５の部分までスライドされる。その後、前記床材１２′は、前記凹部１２５、１２５′を介して、図示のように外すことができる。前記床材１２′および左右の床材連結金具１３、１３′は、工事の際に予め決められた位置に配置しておき、目印を付けるかまたは記憶しておく。床材１２を外したい場合、最初、床材１２′が外された後に、床材１２を外す。
【実施例７】
【００５８】
図１３（イ）から（ハ）は本発明の第７実施例で、床材連結金具を根太材に上部から取り付ける場合の例を説明するための図で、（イ）が根太材と床材連結金具の斜視図、（ロ）が床材連結金具の長さ方向断面図、（ハ）が床材連結金具の垂直断面図である。図１３（イ）および（ハ）において、床材連結金具は、上部連結金具１３５および下部連結金具１３６がスライド可能に嵌合されて一つの床材連結金具を構成している。
【００５９】
前記下部連結金具１３６は、スライド基部１３５１が上部連結金具１３５の上面より、根太材１１に成形されているスライド溝１１１（図１参照）内で回動できるように角部を切り落とした切り落とし部１３５２が成形されている。第７実施例における床材連結金具は、下部連結金具１３６の幅を狭くする点と、角部を回動可能な形状にすることで、取付位置の上から（図１３（イ）の点線）挿入し、回転することで、取り付けることができる。前記床材連結金具は、従来のように、根太材１１の端部から挿入することなく、取り付けたい位置に上部から挿入できるため、施工が容易になった。
【産業上の利用可能性】
【００６０】
以上、本発明の実施例を詳述したが、本発明は、前記実施例に限定されるものではなく、特許請求の範囲に記載された事項を逸脱することがなければ、種々の設計変更を行うことが可能である。本実施例に記載されている床材または床材連結金具は、アルミニウム合金の形材、合成樹脂製の形材、木製、木粉と合成樹脂を混合した部材等公知または周知の部材を使用できる。床材の形状、幅、および長さは、任意のものを採用できる。前記床材を載置する部分は、本発明に直接関係がないため、説明が省略されているが、公知または周知の構造とすることができる。本発明は、床材連結金具および床材連結方法を用いるとともに、公知または周知の連結金具あるいは連結方法と組み合わせて使用することもできる。本発明の連結金具を使用するに当たり、根太の形状および構造は、各種一般に使用されているものを適用することができる。
【図面の簡単な説明】
【００６１】
【図１】本発明の第１実施例で、根太材、床材、および床材連結金具の関係を説明するための概略図である。（実施例１）
【図２】本発明の第１実施例に使用する床材連結金具を説明するための概略図である。
【図３】（イ）は本発明の第１実施例に使用する補修用連結金具であり、（ロ）は床材連結金具における連結部を切削した後の形状を説明するための概略図である。
【図４】（イ）および（ロ）は本発明の第１実施例における床材連結金具を用いて根太材と床材とを連結した状態を説明するための図で、（イ）は（ロ）における（イ）から見た断面図、（ロ）は（イ）における（ロ）から見た断面図である。
【図５】（イ）は取り付けられている床材を取り外す方法を説明する図であり、（ロ）は床材を取り付ける方法を説明する図である。
【図６】本発明の第２実施例で、床材連結金具によって連結された木製または合成樹脂製床材の床材連結金具を外す場合を説明するための図である。（実施例２）
【図７】（イ）および（ロ）は上部と下部で分解できる床材連結金具を説明するための図で、（イ）が嵌合した状態で、（ロ）が分解した図である。
【図８】図８（イ）および（ロ）は下部連結金具および上部連結金具を使用して床材を取り付けた状態を示すもので、（イ）は（ロ）における（イ）断面図、（ロ）は、（イ）における（ロ）断面図である。
【図９】（イ）から（ニ）は本発明の第３実施例で、下部連結金具および上部連結金具の変形例を説明するための図である。（実施例３）
【図１０】（イ）から（ニ）は本発明の第４実施例で、下部連結金具および上部連結金具の他の変形例を説明するための図である。（実施例４）
【図１１】（イ）および（ロ）は本発明の第５実施例で、上部連結金具が二つに分かれている例を説明するための図である。（実施例５）
【図１２】本発明の第６実施例で、床材の一部で下部連結金具および上部連結金具からなる床材連結金具で連結されており、床材を外す場合の例を説明するための図である。（実施例６）
【図１３】（イ）から（ハ）は本発明の第７実施例で、床材連結金具を根太材に上部から取り付ける場合の例を説明するための図で、（イ）が根太材と床材連結金具の斜視図、（ロ）が床材連結金具の長さ方向断面図、（ハ）が床材連結金具の垂直断面図である。（実施例７）
【符号の説明】
【００６２】
１１・・・根太材
１１１・・・スライド溝
１１２・・・載置部
１２・・・床材
１２１・・・上面
１２２・・・下面
１２３・・・側面
１２４、１２４′・・・側部連結溝
１３・・・床材連結金具
１３１・・・スライド基部
１３２・・・垂直部
１３２１・・・縦部片
１３２２・・・切欠部
１３２３・・・スペーサ片
１３２４・・・係合凹溝
１３２５・・・肉厚部
１３３・・・上部連結部
１３３１・・・上部習い溝
１３３２・・・連結部
３３・・・補修用連結金具
３３１・・・上部習い溝
３３２・・・連結部
３３３・・・抱持部
３３４・・・抱持爪
【図１】
0004464875.tif 000002
【図２】
0004464875.tif 000003
【図３】
0004464875.tif 000004
【図４】
0004464875.tif 000005
【図５】
0004464875.tif 000006
【図６】
0004464875.tif 000007
【図７】
0004464875.tif 000008
【図８】
0004464875.tif 000009
【図９】
0004464875.tif 000010
【図１０】
0004464875.tif 000011
【図１１】
0004464875.tif 000012
【図１２】
0004464875.tif 000013
【図１３】
0004464875.tif 000014